(57)【要約】      （修正有）【課題】連続巻回されたトイレットペーパーのつまみ出し・繰り出し・切断の一連の動作を片手でも容易に行え、ミシン目で確実に切断できるトイレットペーパーカッターを提供する。【解決手段】トイレットペーパー３のミシン目に対して斜めの一辺を有しペーパーホルダー４Ａのペーパー上面カバー部２に固定される台形状の固定部５Ｃを備え、固定部５Ｃにはペーパーホルダー４Ａからつまみ出し・繰り出されたトイレットペーパー３を折り返すペーパー折り返し部５Ｆおよびペーパー折り返し部５Ｆに延設したペーパー繰り出し阻止部５Ｇを設けて構成する。【選択図】図１
2012101014.tif 000002
【特許請求の範囲】
【請求項１】
トイレットペーパー３を収納保持するためのペーパー保持部１とペーパー上面カバー部２を有するペーパーホルダー４Ａに後付けされ、つまみ出し・繰り出されたトイレットペーパー３を切断するトイレットペーパーカッターであって、
前記トイレットペーパーカッター５はトイレットペーパー３のミシン目と斜めに交差する一辺を有し、前記ペーパーホルダー４Ａの前記ペーパー上面カバー部２に固定される台形状の固定部５Ｃを備え、
前記固定部５Ｃにはペーパーホルダー４Ａからつまみ出し・繰り出されたトイレットペーパー３を折り返す前記一辺からなるペーパー折り返し部５Ｆおよび前記ペーパー折り返し部５Ｆに延設したペーパー繰り出し阻止部５Ｇが形成されていることを特徴とするトイレットペーパーカッター。
【請求項２】
請求項１に記載されたトイレットペーパーカッターを配設したことを特徴とするトイレットペーパーホルダー。
【発明の詳細な説明】
【発明の詳細な説明】
【技術分野】
【０００１】  本発明は、連続して巻回された巻ペーパー（以下トイレットペーパーと記す）を収納保持するペーパーホルダーと一体、またはペーパーホルダーに後付けされて、ペーパーホルダーから繰り出されたトイレットペーパーを切断するトイレットペーパーカッターに係わり、特には、トイレットペーパーのつまみ出し・繰り出し・切断が片手でも容易にでき、且つ、次回繰り出し時のつまみ代を確実に残らせることができるトイレットペーパーカッターに関するものである。
【背景技術】
【０００２】  従来、トイレットペーパーはペーパーホルダーに収納保持され用いられ、必要長さ繰り出されたトイレットペーパーは前記ペーパーホルダーに設けられたペーパーカッターで切断されていた。（特許文献１参照）【０００３】  図４、図５は特許文献１に記載された従来のペーパーホルダー４Ａおよび従来例のペーパーホルダー４Ａによるトイレットペーパー３のつまみ出し・繰り出し・切断の一連の動作を示す説明図である。【０００４】  図４において１は連続巻回されたトイレットペーパー３を収納保持してトイレットペーパー３を繰り出すための隙間を有する円筒状のペーパー保持部、２はペーパー保持部１に延設されたペーパー上面カバー部、５は回転可能な可動手段６，６によりペーパー上面カバー部２に配設せしめられたペーパーカッターで一端部にペーパー繰り出し阻止部５Ａ，他端側にペーパーカッター部５Ｂを有した構成である。【０００５】  ここで、図５を参照してペーパーホルダー４Ａを使用した時のトイレットペーパー３のつまみ出し、繰り出しと切断は次のようにして行われていた。
（１）トイレットペーパー３の先端部に位置するつまみ代３Ａを同図（ａ）に示すように指７でつまみ、次に、（２）同図（ｂ），（ｃ）に示すように必要長さ繰り出す。そして、（３）同図（ｄ）に示すようにペーパー保持部１の先端部に配備されたペーパー上面カバーに可動手段６，６を介し設置されているペーパーカッター５を可動すべくトイレットペーパー３を上方に持ち上げトイレットペーパーをミシン目で切断する動作を行う。
【先行技術文献】
【０００６】
【特許文献】
【０００７】
【特許文献１】特開２００４−０５７７６０号公報
【０００８】
【発明の概要】
【発明が解決しようとする課題】
【０００９】  前述したペーパーホルダー４Ａに収納保持されたトイレットペーパー３のつまみ出し・繰り出し・切断の一連の動作は両手を使える健常者には極めて有効であり効果が得られた。しかしながら、同じ一連の動作を怪我や障害等で手が不自由な者が片手で行うような場合はトイレットペーパー３のつまみ出し、ミシン目での切断も容易に確実にできないという難点があった。
また、従来のペーパーホルダー４Ａに用いられるペーパーカッター５は取り付けが煩雑なほか高価になる難点があった。【００１０】  本発明は、上記課題に鑑みてなされたものであり、これら難点を解消でき、トイレットペーパーのつまみ出し・繰り出し・ミシン目での切断の一連の動作が片手でも容易に行うことができるペーパーホルダーに好適なトイレットペーパーカッタ−を提供することにある。
【課題を解決するための手段】
【００１１】  以下の発明の態様は、本発明の構成を例示するものであり、本発明の技術的範囲を限定するものではない。【００１２】  トイレットペーパー３を収納保持するためのペーパー保持部１とペーパー上面カバー部２を有するペーパーホルダー４Ａに後付けされ、つまみ出し・繰り出されたトイレットペーパー３を切断するトイレットペーパーカッターであって、
トイレットペーパーカッター５はトイレットペーパー３のミシン目と斜に交差する一辺を有し、前記ペーパーホルダー４Ａの前記ペーパー上面カバー部２に固定される台形状の固定部５Ｃを備え、前記固定部５Ｃにはペーパーホルダー４Ａからつまみ出し・繰り出されたトイレットペーパー３を折り返す前記一辺によるペーパー折り返し部５Ｆおよび前記ペーパー折り返し部５Ｆに延設したペーパー繰り出し阻止部５Ｇが設けられて構成されている。【００１３】  なお、前記固定部５Ｃはトイレットペーパー３に摩擦力を与えるゴム系、エラストマー等の材料で構成するのが望ましい。【００１４】  本項に記載のトイレットペーパーカッター５はトイレットペーパー３のミシン目と斜に交差する一辺からなる前記ペーパー折り返し部５Ｆと前記ペーパー繰り出し阻止部５Ｇを具備する構成なので、前記トイレットペーパー３をミシン目で切断すればつまみ代３Ａが確実に残る。
また、前記ペーパー繰り出し阻止部５Ｇでトイレットペーパー３の繰り出しが阻止されるので怪我や障害等で手が不自由な者でも折り返した前記トイレットペーパー３の切断をミシン目にそって片手で容易に確実に行うことが可能になる。【００１５】
【発明の効果】
【００１６】  本発明によれば、簡便な手段により、連続して巻回されたトイレットペーパーのつまみ出し・繰り出し・ミシン目での切断の一連の動作が片手でも容易になるばかりか、怪我や障害等で手が不自由な者も同じ一連の動作を容易に確実に行うことができるので、その実用上の効果は大きなものがある。
【図面の簡単な説明】
【００１７】
【図１】本発明による一実施例のトイレットペーパーカッターとその取り付けを示す説明図で、同図（ａ）はトイレットペーパーカッターの要部斜視図、同図（ｂ）は既存のペーパーホルダーを示す説明図、同図（ｃ）はトイレットペーパーカッターがペーパーホルダーに取り付けられた状態を示す説明図である。
【図２】図１（ｃ）のペーパーホルダーによるトイレットペーパーのつまみ出し・繰り出し・ミシン目での切断の一連の動作を示す説明図である。
【図３】図１（ｃ）のトイレットペーパーカッターを取り付けたペーパーホルダーの構成を示す説明図で、同図（ａ）は平面図、同図（ｂ）は側面図、同図（ｃ）は正面図である。
【図４】従来例のペーパーホルダーを示す部分斜視図である。
【図５】従来例のペーパーホルダーによるトイレットペーパーのつまみ出し・繰り出し・切断の一連の動作を示す説明図である。
【発明を実施するための形態】
【００１８】  以下、図面を参照して本発明の実施形態について説明する。
図１は、本発明による一実施例のトイレットペーパーカッターとその取り付けを示す説明図で、同図（ａ）はトイレットペーパーカッターの要部斜視図、同図（ｂ）は既存のペーパーホルダーを示す説明図、同図（ｃ）はトイレットペーパーカッターがペーパーホルダーに取り付けられた状態を示す説明図で、図２は図１（ｃ）のペーパーホルダーによるトイレットペーパーのつまみ出し・繰り出し・切断の一連の動作を示す説明図である。
【００１９】  本発明の実施形態におけるトイレットペーパーカッター５は、既存のペーパーホルダー４Ａのペーパー上面カバー部２に両面粘着テープや接着剤等により固定するための台形状の固定部５Ｃに、前記一辺によるペーパー折り返し部５Ｆおよび前記ペーパー折り返し部５Ｆに延設したペーパー繰り出し阻止部５Ｇが設けられて構成されている。
【００２０】  前記固定部５Ｃには前記ペーパーホルダー４Ａからつまみ出し・繰り出されたトイレットペーパー３を折り返すペーパー折り返し部５Ｆが設けられ、前記ペーパー折り返し部５Ｆに延設したペーパー繰り出し阻止部５Ｇが配備されている。トイレットペーパー３を前記ペーパー折返し部５Ｆで折返し、そのままトイレットペーパーを引っ張ると、ペーパー繰り出し阻止部５Ｇによりトイレットペーパー３の繰り出しが阻止され、トイレットペーパーのミシン目３Ｂで切断され、折返し部５Ｆからミシン目３Ｂまでの間がつまみ代３Ａとして残るよう構成されている。
【００２１】  なお、前記トイレットペーパー折り返し部５Ｆの台形状斜辺と接するもう一辺とで交差する角度（図１（Ｃ））α°は、前記トイレットペーパー３を切断する際の力と前記ペーパー上面カバー部２が浮かないための交差角度αは３０°〜７５°位に形成するのが望ましい。
【００２２】  前記トイレットペーパーカッター５は金属薄板、合成樹脂シート（例えば、ＰＰ．ＡＢＳ等）ゴム系、エラストマー等で既存のペーパーホルダー４Ａとペーパー上面カバー部２に応じた形状と寸法に形成されている。
なお、前記トイレットペーパーカッター５を前記ペーパーホルダー４Ａと一体形成してもよいことはいうまでもなく、その形状と構造についても種々変更可能なことはいうまでもない。
【００２３】  以上のように構成されたトイレットペーパーカッター５は構成が簡単で安価であり、既存のペーパーホルダー４Ａへの取り付けも簡単でトイレットペーパーカッター５が設けられたペーパーホルダー４が得られる。
【００２４】  このペーパーホルダー４からトイレットペーパー３をつまみ出し、必要な長さだけ繰り出したら、ペーパー折り返し部５Ｆで折り返しペーパー繰り出し阻止部５Ｇでトイレットペーパー３の繰り出しを阻止して、トイレットペーパー３を引っ張りミシン目３Ｂで容易に確実に切断することができる。
【００２５】  同時に、ペーパー折り返し部５Ｆとミシン目３Ｂとの間にはトイレットペーパー３のつまみ代３Ａが残される結果、怪我や障害等で手が不自由な者であってもトイレットペーパー３のつまみ出しを含む繰り出し・切断を容易に確実に行うことが可能となり、その実用上の効果は大きなものがある。
【００２６】  以上、本発明を好ましい実施形態に基づいて説明したが、本発明は、上述した実施形態に限定されるものではない。
【符号の説明】
【００２７】１  ペーパー保持部
２  ペーパー上面カバー部
３  巻ペーパー（トイレットペーパー）
３Ａ  つまみ代
３Ｂ  ミシン目
４，４Ａ  ペーパーホルダー
５  ペーパーカッター
５Ａ，５Ｇ  ペーパー繰り出し阻止部
５Ｂ  ペーパーカッター部
５Ｃ  固定部
５Ｆ  ペーパー折返し部
６，６  可動手段
７  指
【図１】
2012101014.tif 000003
【図２】
2012101014.tif 000004
【図３】
2012101014.tif 000005
【図４】
2012101014.tif 000006
【図５】
2012101014.tif 000007